(57)【要約】【課題】  本発明は安価で使い捨て状態で使用することができるとともに、抗菌効果や脱臭効果に優れ、使用中にも簡単に移動したりするのを効率よく阻止することができる中敷きを得るにある。【解決手段】  茶香紙で形成された中敷き本体と、この中敷き本体の底面に塗布された粘着剤とで中敷きを構成している。【選択図】  図１
2006288548.tif 000002
【特許請求の範囲】
【請求項１】
茶香紙で形成された中敷き本体と、この中敷き本体の底面に塗布された粘着剤とからなることを特徴とする中敷き。
【請求項２】
茶香紙で形成された中敷き本体と、この中敷き本体の底面で先端部あるいは後端部を除く部位に塗布された粘着剤とからなることを特徴とする中敷き。
【請求項３】
茶香紙で形成された中敷き本体と、この中敷き本体の底面の土踏まず部位および先端部あるいは後端部を除く部位に塗布された粘着剤とからなることを特徴とする中敷き。
【発明の詳細な説明】
【技術分野】
【０００１】
本発明は靴やスリッパ等に使い捨て状態で使用できる中敷きに関する。
【背景技術】
【０００２】
従来の中敷きは通気性やクッション性の向上のために、合成樹脂材で多数個の凹凸や透孔を形成したものが市販されている。
【０００３】
しかしながら、このような中敷きは使い捨て状態で使用するにはコスト高であるとともに、抗菌効果や脱臭効果に欠けるという欠点があった。
【特許文献１】特開平５−３１７１０３
【発明の開示】
【発明が解決しようとする課題】
【０００４】
本発明は以上のような従来の欠点に鑑み、安価で使い捨て状態で使用することができるとともに、抗菌効果や脱臭効果に優れ、使用中にも簡単に移動したりするのを効率よく阻止することができる中敷きを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は茶香紙で形成された中敷き本体と、この中敷き本体の底面に塗布された粘着剤とで中敷きを構成している。
【発明の効果】
【０００７】
以上の説明から明らかなように、本発明にあっては次に列挙する効果が得られる。
【０００８】
（１）茶香紙で形成された中敷き本体と、この中敷き本体の底面に塗布された粘着剤とで構成されているので、中敷き本体を茶香紙で形成しているので、含有されているカテキンによって、茶の香りが得られ、抗菌効果や脱臭効果が得られる。
【０００９】
（２）前記（１）によって、底面に塗布された粘着剤によって、靴の内底やスリッパの内底面に粘着固定できる。
したがって、使用中に移動したりする不具合を効率よく防止できるとともに、粘着される靴の内底やスリッパの内底面に粘着剤が付着固定状態になるのを確実に防止できる。
【００１０】
（３）前記（１）によって、茶香紙と粘着剤で構成されているので、安価で、使い捨て状態で使用することができる。
したがって、常にきれいな状態で使用することができる。
【００１１】
（４）前記（１）によって、茶の香りがするので、交換時にいやな臭いを嗅ぐことなく、気持ちよく交換作業を行なうことができる。
【００１２】
（５）請求項２、３も前記（１）〜（４）と同様な効果が得られるとともに、取り付け取り外し時に、底面の粘着剤が塗布されていない部分を持って行なうことができ、容易に行なうことができる。
【発明を実施するための最良の形態】
【００１３】
以下、図面に示す本発明を実施するための最良の形態より、本発明を詳細に説明する。
【００１４】
図１ないし図６に示す本発明を実施するための最良の第１の形態において、１は靴やスリッパ等の履物２の内底面に取付けて使い捨て状態で使用することができる本発明の中敷きで、この中敷き１は茶飲料の生産で発生する茶殻滓を使用して製造された茶香紙で、左右が同じ形状に形成された中敷き本体３と、この中敷き本体３の底面の後端部を除く部位に塗布されたポストイット（商品名）
等に使用されているのと同等の粘着剤４とで構成されている。
【００１５】
上記構成の中敷き１は図４に示すように、偶数の複数枚を積み重ねることにより、積み重ねられた中敷き１の底面の粘着剤４によって、粘着固定された整列状態で密封袋５に収納されて市販される。
使用者は図５に示すように、密封袋５より複数枚積み重ねられた中敷き１を取り出し、後端部の粘着剤４の塗布されていない部位より、上の中敷き１を取り外し、図６に示すように靴やスリッパ等の履物２の内底面２ａに、粘着剤４が粘着固定されるように取付けて使用する。
使用状態では中敷き本体３に含まれている茶殻滓のカテキンによって、抗菌効果と脱臭効果が得られるとともに、茶のさわやかな香りも得られる。
[発明を実施するための異なる形態]
【００１６】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図７ないし図９に示す本発明を実施するための第２の形態において、前記本発明を実施するための最良の第１の形態と主に異なる点は、左右の形状に形成された左右の中敷き本体３Ａ、３Ｂ
と、この左右の中敷き本体３Ａ、３Ｂの底面全体に粘着剤４を塗布した点で、このように構成された左右の中敷き１Ａ、１Ｂ は左右の中敷き１Ａ、１Ｂを交互に積み重ねて密封袋５に収納される。
このため、使用時には積み重ねられた左右の中敷き１Ａ、１Ｂで、外方へ突出している部分より容易に取り外して使用することができる。
【００１８】
図１０ないし図１２に示す本発明を実施するための第３の形態において、前記本発明を実施するための最良の第１の形態と主に異なる点は、中敷き本体１の底面の先端部と土踏まず部位を除く部位に、粘着剤４を塗布した点で、このように構成した中敷き１Ｃにしても、前記本発明を実施するための最良の第１の形態と同様な作用効果が得られる。
【００１９】
図１３ないし図１５に示す本発明を実施するための第４の形態において、前記本発明を実施するための最良の第１の形態と主に異なる点は、後端部に外方へ突出する摘み片６を形成した中敷き本体３Ｃと、この中敷き本体３Ｃの摘み片６を除く底面に粘着剤４を塗布した点で、このように構成した中敷き１Ｄにしても、  
前記本発明を実施するための最良の第１の形態と同様な作用効果が得られる。
【産業上の利用可能性】
【００２０】
本発明は中敷きを製造する産業で利用される。
【図面の簡単な説明】
【００２１】
【図１】本発明を実施するための最良の第１の形態の平面図。
【図２】本発明を実施するための最良の第１の形態の底面図。
【図３】図１の３−３線に沿う断面図。
【図４】本発明を実施するための最良の第１の形態の市販される状態の説明図。
【図５】本発明を実施するための最良の第１の形態の使用時の取り外し状態の説明図。
【図６】本発明を実施するための最良の第１の形態の使用時の説明図。
【図７】本発明を実施するための第２の形態の平面図。
【図８】本発明を実施するための第２の形態の底面図。
【図９】本発明を実施するための第２の形態の市販される状態の説明図。
【図１０】本発明を実施するための第３の形態の平面図。
【図１１】本発明を実施するための第３の形態の底面図。
【図１２】本発明を実施するための第３の形態の市販される状態の説明図。
【図１３】本発明を実施するための第４の形態の平面図。
【図１４】本発明を実施するための第４の形態の底面図。
【図１５】本発明を実施するための第４の形態の市販される状態の説明図。
【符号の説明】
【００２２】
１、１Ａ、１Ｂ、１Ｃ、１Ｄ：中敷き、            
２：靴やスリッパ等の履物、
３、３Ａ、３Ｂ、３Ｃ：中敷き本体、
４：粘着剤、                              ５：密封袋、
６：摘み片。                                                
【図１】
2006288548.tif 000003
【図２】
2006288548.tif 000004
【図３】
2006288548.tif 000005
【図４】
2006288548.tif 000006
【図５】
2006288548.tif 000007
【図６】
2006288548.tif 000008
【図７】
2006288548.tif 000009
【図８】
2006288548.tif 000010
【図９】
2006288548.tif 000011
【図１０】
2006288548.tif 000012
【図１１】
2006288548.tif 000013
【図１２】
2006288548.tif 000014
【図１３】
2006288548.tif 000015
【図１４】
2006288548.tif 000016
【図１５】
2006288548.tif 000017